(57)【特許請求の範囲】
【請求項１】
冷凍サイクルの配管接続用のバルブ等を固定するためのバルブ固定板が圧縮機の近傍で室外機の筐体ベースの一側部に取り付けられている空気調和機の室外機において、
室外機の筐体ベースに防振部材を介して圧縮機を取り付けるとともに、前記バルブ固定板の本体の下部に直角に折れ曲がったつば部を形成し、前記つば部には前記圧縮機の底部のフランジ部とともに防振部材を押さえ付けるためのL字形に切り起こされた爪を形成したことを特徴とする空気調和機の室外機。
【請求項２】
筐体ベースに対するバルブ固定板の固定強度を高める固定補強部を筐体ベースにおいて前記爪の近傍位置に設けたことを特徴とする請求項１に記載の空気調和機の室外機。
【請求項３】
前記固定補強部は、筐体ベースから切り起こされ前記バルブ固定板の取付部に係合する切起こし部からなることを特徴とする請求項３に記載の空気調和機の室外機。
【請求項４】
前記防振部材を前記筐体ベースに対して位置決めする位置決め部を板金加工により前記筐体ベースに一体形成してなることを特徴とする請求項１に記載の空気調和機の室外機。
【発明の詳細な説明】
【０００１】
【発明の属する技術分野】
本発明は、空気調和機の室外機に係り、特に、圧縮機の取付構造を改良した空気調和機の室外機に関する。
【０００２】
【従来の技術】
従来の空気調和機の室外機では、その筐体ベースに圧縮機を取り付ける場合、運転中の振動が筐体に伝わり騒音となるのを防止するため、図３に示されるように、防振ゴムを介して筐体ベースに固定されている。
【０００３】
この図３において、１０は室外機の筐体ベース、１１は圧縮機である。この圧縮機１１の底部には取付用フランジ部１２が設けられている。一方、筐体ベース１０には、３箇所に固定用ボルト１３が溶接によって固定されており、防振ゴム１４は固定用ボルト１３に挿着されている。この固定用ボルト１３の先端部は、圧縮機１１の取付用フランジ部１１に形成されている穴１５に通され、固定用ナット１６を締め付けることにより、圧縮機１１は防振ゴム１４を介した３点支持構造で取り付けられる。
【０００４】
【発明が解決しようとする課題】
しかしながら、上記のような固定用ボルト１３や固定用ナット１６を用いた固定構造では、圧縮機１１を強固に固定することができるというものの、実際には室外機を据え付けたあとは、防振ゴム１４から外れないように圧縮機１１が取り付けられていれば十分で、ボルト・ナットによる強固な締結は必ずしも必要としない。
【０００５】
他方、固定用ボルト１３や固定用ナット１６は、むしろ輸送中に振動や落下によって圧縮機の位置のずれを抑止するのを主目的とする輸送ねじ的な色彩が強く、部品コスト、取付工数ともかかる過剰固定の面が否めず、コスト対効果の観点から問題があった。
【０００６】
そこで、本発明の目的は、前記従来技術の有する問題点を解消し、圧縮機固定・取付のための部品点数を削減し、圧縮機の固定構造の合理化を図るようにした空気調和機の室外機を提供することにある。
【０００７】
【課題を解決するための手段】
前記の目的を達成するために、請求項１に記載した発明は、冷凍サイクルの配管接続用のバルブ等を固定するためのバルブ固定板が圧縮機の近傍で室外機の筐体ベースの一側部に取り付けられている空気調和機の室外機において、室外機の筐体ベースに防振部材を介して圧縮機を取り付けるとともに、前記バルブ固定板の本体の下部に直角に折れ曲がったつば部を形成し、前記つば部には前記圧縮機の底部のフランジ部とともに防振部材を押さえ付けるためのL字形に切り起こされた爪を形成したことを特徴とするものである。
【０００８】
この請求項１に係る発明によれば、バルブ固定板は、本来のバルブ取付に機能に加えて、圧縮機の変位を阻止する部品として代用することができるので、従来のボルト・ナットが不要になり、その分部品点数および取付工数を削減することが可能となる。また、バルブ固定板と一体で変位阻止用の爪を形成できるので材料展開の面から有利となる。圧縮機とバルブ固定板が離れている室外機の場合は、変位阻止用の爪を別部品として取り付けるようにしてもよい。
【００１０】
本発明の好適な実施形態によれば、請求項２に記載したように、筐体ベースに対するバルブ固定板の固定強度を高める固定補強部を筐体ベースにおいて前記爪の近傍位置に設けることが好ましい。
【００１１】
また、請求項４に記載したように、前記防振部材を前記筐体ベースに対して位置決めする位置決め部を板金加工により前記筐体ベースに一体形成することにより、防振部材の位置決めようの部品をなくして、より一層の部品点数の削減を図るようにしてもよい。
【００１２】
【発明の実施の形態】
以下、本発明による空気調和機の室外機の一実施形態について、添付の図面を参照しながら説明する。
図２は、本発明の一実施形態による空気調和機の室外機を示す。この室外機２０の筐体は、前キャビネット２１、後キャビネット２２、上キャビネット２３および筐体ベース２４から組み立てられている。この室外機２０の筐体の内部には、室外熱交換器２５、冷媒配管２６、圧縮機２７などの冷凍サイクルを構成する機械構成部品が収容されている。２９は熱交換器用のファンを示し、このファン２９はボス３０を介してファン用電動機３１に取り付けられている。２８は、空気調和機の動力電気回路や制御回路に用いられる各種電装品が収容された電気部品箱である。
【００１３】
図２において、冷媒配管２６では、室内機との配管接続の便宜のために、バルブ固定板３２を用いることによって、冷媒配管２６に組み込まれている接続用のバルブが固定されるようになっている。本発明では、圧縮機２７を筐体ベース２４に取り付けるのにバルブ固定板３２を利用している。
【００１４】
そこで、図１にバルブ固定板３２回りの詳細構造を示す。
圧縮機２７のケース底部には、三角形状のフランジ部３３が一体に形成されており、このフランジ部３３の角には穴３６が３箇所に形成されている。圧縮機２７は、振動を吸収する弾性材料からなる防振部材３５を介して筐体ベース２４に取り付けられる。この実施形態では、防振部材３５は、径が順次小さくなるリング状のゴムを三段重ねにしたもので、一番上のリング状ゴムには、ちょうどフランジ部３３の穴３６に嵌合する円筒部３５ａが形成されている。
【００１５】
一方、筐体ベース２４には、バーリング加工によりにバーリング穴を加工することで逆すり鉢状に突出した位置決め部３４が一体に形成されており、防振部材３５は、この位置決め部３４にはまり合うことで位置決めされるようになっている。この位置決め部３４は、バーリング加工の他、防振部材３５に係合する部分を切り起こして形成するようにしてもよい。
【００１６】
次に、バルブ固定板３２について説明すると、このバルブ固定板３２は、上述したように、室外機との配管接続用のバルブ、継手が取り付けられる板金部材で、通常の室外機はこのバルブ固定板３２を用いて配管接続用のバルブ５０を内外配管接続作業がし易いように取り付けている。このバルブ固定板３２は、配管接続作業に伴う力が加わっても変形しないように室外機筐体を構成する板金部品中もっとも肉厚の板金材料から製作されている。
【００１７】
図１に示すように、バルブ固定板３２は、その下部は直角に折れ曲がったつば部３７が形成されている。このつば部３７から垂直に立ち上がった固定板本体には、バルブ５０を固定するための固定座４３が形成されている。
前記つば部３７には、圧縮機２７の取付位置からの変位を阻止するための変位阻止部として爪３８、３９が形成されている。この爪３８、３９は、つば部３７と一体のもので、先端部が水平にのびるようにＬ字形に切り起こされた形状を呈している。なお、爪３８、３９は、バルブ固定板３２とは別部品のものを溶接やねじを用いてバルブ固定板３２のつば部３７に接合するようにしてもよい。
【００１８】
このバルブ固定板３２は、筐体ベース２４の周縁部に立ち上がっている周壁部２４ａからネジ４１で取付板本体に取り付けることができる。このようにして、バルブ固定板３２を筐体ベース２４に対して取り付けた状態では、爪３８、３９は圧縮機２７のフランジ部３３の穴２２から突出した防振部材３５の円筒部３５ａとともにフランジ部３３を押え付けるようになっている。したがって、運転中の圧縮機２７では、防振部材３５とともに振動するが、爪３８、３９によって規制されて圧縮機２７の変位が阻止される。なお、室外機の据付前は、爪３８、３９が輸送中の振動等による変位を阻止する。
【００１９】
このようにして、バルブ固定板３２は、本来のバルブ取付に機能に加えて、圧縮機２７の変位を阻止することができるので、従来のボルト・ナットが不要になり、その分部品点数および取付工数を削減することができる。また、防振ゴム３５についてもバーリング加工により直接筐体ベース２４に形成した位置決め部３５で位置決めされているので、ボルトナットを不要にする。
【００２０】
なお、バルブ固定板３２のつば部３７における爪３８、３９の近傍に筐体ベース２４から切り起こされた断面Ｌ字形の固定補強部４０が設けられおり、この固定補強部４０がつば部３８に引っ掛かって係合することで、バルブ固定板３２の固定強度が高められている。この固定補強部４０は、つば部３７と溶接により接合してもよく、ねじで締結するようにしてもよい。
【００２１】
【発明の効果】
以上の説明から明らかなように、本発明によれば、室外機の筐体ベースに防振部材を介して圧縮機を取り付けるとともに、前記バルブ固定板の本体の下部に直角に折れ曲がったつば部を形成し、前記つば部には前記圧縮機の底部のフランジ部とともに防振部材を押さえ付けるためのL字形に切り起こされた爪を形成したので、圧縮機固定・取付のための部品点数を削減し、圧縮機の固定構造の合理化を図ることができる。
【図面の簡単な説明】
【図１】本発明の一実施形態による空気調和機の室外機におけるバルブ固定板および圧縮機取付部の詳細を示す斜視図。
【図２】同空気調和機の室外機の組立分解図。
【図３】従来の空気調和機の室外機における圧縮機の取付構造を示す斜視図。
【符号の説明】
２０  室外機
２１  前キャビネット
２２  後キャビネット
２３  上キャビネット
２４  筐体ベース
２５  室外熱交換器
２６  冷媒配管
２７  圧縮機
３２  バルブ固定板
３３  フランジ部３３
３４  位置決め部
３５  防振部材
３７  つば部
３８  爪（変位阻止部）
３９  爪（変位阻止部）
【図１】
0004205822.tif 000002
【図２】
0004205822.tif 000003
【図３】
0004205822.tif 000004